(57)【要約】【課題】  カメラの小型化、シャッタ速度や連写速度の向上の要求が高まるに伴い、シャッタ羽根を作動させるモータの高トルク化、高応答性が図られている。それにより、モータと近接して配置されたカメラ本体側の撮像素子に、モータからの磁気ノイズが影響する問題がある。【解決手段】  モータと近接して配置された撮像素子との間に、シャッタの駆動機構を構成する一部材から延伸させた磁気シールド部を配置させることにより、高トルク化したモータからの磁気ノイズの影響を防ぐことができる。【選択図】図１
2016033626.tif 000002
【特許請求の範囲】
【請求項１】
被写体光路用の開口部を有し両者間に羽根室を形成する地板及び補助地板と、前記地板に回転可能に取り付けられたアーム及び該アームに連結された羽根とからなる少なくとも一組のシャッタ羽根と、前記シャッタ羽根を駆動させる駆動機構と、前記シャッタ羽根を露光作動開始位置に作動させるチャージ機構及び該チャージ機構を駆動するモータと、前記駆動機構の一部材から延存させてカメラ本体側に取り付けられた撮像素子と前記モータの間に配置される磁気シールド部とを設けたことを特長とするカメラ用フォーカルプレンシャッタ。
【請求項２】
前記モータが取り付けられている地板側に撮像素子が配置されていることを特徴とする請求項１に記載のカメラ用フォーカルプレンシャッタ。
【請求項３】
前記駆動機構の一部材が、該駆動機構から発生する塵埃の飛散を防止する防塵板であることを特徴とする請求項２に記載のカメラ用フォーカルプレンシャッタ。
【請求項４】
前記駆動機構の一部材が、シャッタ羽根の駆動源となる駆動ばねの付勢力を調整するラチェット車を支持する支持板であることを特徴とする請求項２に記載のカメラ用フォーカルプレンシャッタ。
【請求項５】
請求項１乃至４のいずれかに記載のカメラ用フォーカルプレンシャッタを備えていることを特徴とするカメラ。
【発明の詳細な説明】
【技術分野】
【０００１】
本発明は、カメラ用フォーカルプレンシャッタ、及びそれを供えたカメラに関する。
【背景技術】
【０００２】
近年のカメラにおいては、小型化の要求が強くなっているため、フォーカルプレンシャッタを含めたカメラ内部の各ユニットの小型化に加えて、カメラ内部のレイアウトの高密度化が図られている。そのため、フォーカルプレーンシャッタでは、シャッタ羽根を露光作動開始位置に作動させるためのモータがシャッタ地板と一体に設けられている。その一例として、比較的大きくて細長いモータを出来るだけ被写体光路用の開口部に近づけ、回転軸の長さ方向をシャッタ羽根の作動方向に合わせて配置することにより、フォーカルプレーンシャッタを小型化にする構成が以下の特許文献に示されている。
【先行技術文献】
【特許文献】
【０００３】
【特許文献１】特開２００３−３４４８９８
【発明の概要】
【発明が解決しようとする課題】
【０００４】
しかしながら、近年のカメラは、小型化に加えて、シャッタ速度や連写速度の向上がより一層要求され、それに対応するモータは、高トルク化や応答性向上のため、磁力の強い永久磁石を使用する必要があり、さらにモータ内のコイルへの通電量も増加している。特許文献１に記載のカメラ用フォーカルプレンシャッタにおいては、フォーカルプレンシャッタを小型化にするため、シャッタ羽根を露光作動開始位置に作動させるためのモータが、撮像素子に近くなるように配置されている。そのため、モータが、撮像素子の近くに配置されることにより、撮像素子の画像生成に対してモータの磁気ノイズの影響を受け易いという問題があった。
【０００５】
また、モータのケース本体は本来の磁気回路を形成する役割に加え、磁気ノイズを抑える役割を追加するとなると、専用の磁気シールド材料が必要となる。しかし、そのような磁気シールド材として用いられるパーマロイなどの高透磁率材料は、高コストや加工特性からモータ本体の高コスト化となり、それによりモータを備えたフォーカルプレンシャッタの高コスト化を招く一因となってしまう問題もあった。
本発明は、上記事情に対処することを課題の一例とするものである。すなわち、モータによりシャッタ羽根を作動させるフォーカルプレンシャッタにおいて、構造の簡略化、低コスト化を図りつつ、カメラ本体側に配置される撮像素子とモータとを近接して配置させても、撮像素子が、モータから発生する磁気ノイズの影響を受けることを防止できるカメラ用フォーカルプレンシャッタ及びそれを備えたカメラを提供することを目的とする。
【課題を解決するための手段】
【０００６】
上記の目的を達成するために、本発明のカメラ用フォーカルプレンシャッタは、被写体光路用の開口部を有し両者間に羽根室を形成する地板及び補助地板と、地板に回転可能に取り付けられたアーム及び該アームに連結された羽根とからなる少なくとも一組のシャッタ羽根と、シャッタ羽根を駆動させる駆動機構と、シャッタ羽根を露光作動開始位置に作動させるチャージ機構及びそのチャージ機構を駆動するモータと、駆動機構の一部材から延存させてモータとカメラ本体側に取り付けられた撮像素子との間に配置される磁気シールド部とを設けたことを特長とする。
【０００７】
また、本発明のカメラ用フォーカルプレンシャッタは、モータが取り付けられている地板側に撮像素子が配置されていることが好ましい。
【０００８】
また、本発明のカメラ用フォーカルプレンシャッタは、駆動機構の一部材が、駆動機構に取り付けられていて、そのシャッタ駆動機構から発生する塵埃の飛散を防止する防塵板であるようにすると好ましい。
【０００９】
また、本発明のカメラ用フォーカルプレンシャッタは、駆動機構の一部材が、シャッタ羽根の駆動源となる駆動ばねの付勢力を調整するラチェット車を支持する支持板であるようにすると好ましい。
【００１０】
さらに、本発明のカメラは、上記発明のカメラ用フォーカルプレンシャッタを備えているようにすると好ましい。
【発明の効果】
【００１１】
本発明のカメラ用フォーカルプレンシャッタ、及びそれを備えたカメラによれば、モータによりシャッタ羽根を作動させるフォーカルプレンシャッタにおいて、構造の簡略化、低コスト化を図りつつ、カメラ本体側に配置される撮像素子とモータとを近接して配置させても、撮像素子が、モータから発生する磁気ノイズの影響を受けることを防止することができる。
【図面の簡単な説明】
【００１２】
【図１】第一実施例に係るフォーカルプレーンシャッタの斜視図。
【図２】第一実施例に係るフォーカルプレーンシャッタの平面図。
【図３】第一実施例に係る磁気シールド部を設けた防塵カバー単品図。
【図４】第二実施例に係るフォーカルプレーンシャッタの平面図。
【図５】第二実施例に係る磁気シールド部を設けたラチェット板の単品図。
【発明を実施するための最良の形態】
【００１３】
本発明の好適な実施の形態を、図面を参照しつつ説明する。先ず、第一実施例について、図１、図２、図３を用いて説明するが、その説明に際しては、地板側を表面側と称し、補助地板側を背面側と称することにする。シャッタ地板１には、その略中央部に被写体光路用の開口部１ａが形成されている。このシャッタ地板１と所定の間隔を空けて補助地板２が配置されていて、両者の間に羽根室を形成している。羽根室内には、先羽根用シャッタ羽根１０と後羽根用シャッタ羽根１１との二組のシャッタ羽根が配置されている。
【００１４】
先羽根用シャッタ羽根１０は、周知のように地板１に回転可能に取り付けられた二つの先羽根用アーム８の先端側に向けて順に複数枚の羽根が回転可能に取り付けられている。また、後羽根用シャッタ羽根１１は、先羽根用シャッタ羽根と同様に地板１に回転可能に取り付けられた二つの後羽根用アーム９の先端側に向けて順に複数枚の羽根が回転可能に取り付けられている。
【００１５】
そしてそれらのシャッタ羽根を作動させる機構は、詳しい図示を省略しているが、開口部１ａの左側の領域に駆動機構３が設けられている。このシャッタ駆動機構は、実用化されている周知のものと同じでよいことから、各図においては直方体のブロックとして示してあるが、例えば、特開２００１−２８１７２７号公報に記載されている構成と同じであっても構わない。即ち、シャッタ駆動機構３の構成部材としては、先羽根用シャッタ羽根と後羽根用シャッタ羽根に各々連結された二つの駆動部材、それらの二つの駆動部材の作動開始を各々制御するための二つの電磁石、それらの二つの駆動部材を各々作動させるための二つの駆動ばね、それら二つの駆動部材を駆動ばねの付勢力に抗して露光作動開始位置である二つの電磁石に吸着される位置まで作動させるセット部材、それらの二つの駆動ばねの付勢力を各々調整可能にするための二つのラチェット車等が含まれる。さらに、地板１の表面側には、地板１と所定の間隔を空けて、各々二つの駆動部材、電磁石、ラチェット車を地板１との間で支持する支持板や、電磁石に通電するためのプリント配線板などが配置されている。
【００１６】
また、地板１には、各シャッタ羽根を露光作動開始位置に作動させるためのチャージ機構４やチャージ機構の駆動源となるＤＣモータであるモータ５が配置されている。このチャージ機構４は、上記の駆動機構３と同様に実用化されている周知のものと同じでよいことから、各図においては直方体のブロックとして示してあるが、例えば、特開２００２−１６２６６９号公報に記載されている構成と同じであっても構わない。即ち、チャージ機構の主な構成部材としては、モータの駆動力を伝達する歯車やレバーやカム等が含まれる。そして上記のチャージ機構の駆動源となるＤＣモータのモータ５は、適宜な手段により地板１の表面側にとりつけられていて、回転子としてのコイル５ａと、コイル５ａを囲むようにして配置された永久磁石５ｂと、コイル５ａと一体になった出力軸５ｃとを有し、出力軸５ｃがチャージ機構に連結されている。
【００１７】
また、駆動機構３の側面には、駆動機構から発生する塵埃を飛散させないようにする防塵部材７が取り付けられている。この防塵板７は、磁性体の金属鋼板により形成されていて、二つのフック部７ａ、７ｂと、上記したモータ５の磁気ノイズを抑える磁気シールド部７ｃ、７ｄ，７ｅを一体的に備えている。この防塵板７は、二つのフック部７ａ，７ｂを駆動機構３に適宜な手段で掛け止めさせることにより取り付けられており、更に、磁気シールド部７ｃ，７ｄ，７ｅが、モータ５の一部を覆うようにしている。
【００１８】
また、シャッタ地板１には、モータと５と近接するようにして、カメラ本体側に取り付けられた撮像素子６が配置されている。この撮像素子は、第一実施例においては、撮像面を地板１側にして配置されているが、撮像面を地板１とは反対側に向けるように配置しても差し支えない。
【００１９】
次に作動について説明する。本実施例のフォーカルプレンシャッタは、実用化されている周知のフォーカルプレーンシャッタと同様で、図２は、露光動作開始前の状態を示しており、カメラ側のレリーズボタンが押されると、先羽根用シャッタ羽根が先羽根用駆動部材により図面下方に作動させられる。これにより、開口部１ａを覆っている先羽根用シャッタ羽根１０が作動して開口部１ａを開放してゆき、その所定時間後に後羽根用シャッタ羽根１１が、後羽根用駆動部材により開口部１ａを覆うように作動する。これにより撮影が終了する。次にモータ５が回転してチャージ機構４を作動させ、セット部材により駆動ばねの付勢力に抗して二つの駆動部材を図１に示された状態に復帰させる。このような作動は、シャッタ速度の高速化や、連写速度の高速化によりモータ５の高トルク化や高応答性が要求されるため、モータ５からの磁気ノイズが多くなり、近接して配置された撮像素子に影響を与えることになる。
【００２０】
しかし、本実施例においては、モータ５と撮像素子６は地板１の同じ側に近接して配置されているが、ステンレスや鋼板を用いて作成された防塵カバー７は、一体的に磁気シールド部７ｃ，７ｄ，７ｅを形成してモータ５と撮像素子６の間に配置されているので、駆動機構３の防塵機能だけでなく、モータ５による磁気ノイズの影響を撮像素子に与えないようにできる。
【００２１】
つまり、防塵カバー７をモータ５と撮像素子６の間を磁気的に仕切るような形状にすることで、駆動機構３の塵埃の出入りを遮断するという機能に加え、モータ５の磁気ノイズを遮断する役割も与えられる。また防塵カバー７は、図３で示すようにフック部７ａ、７ｂを駆動機構３に掛け止めするだけで取り付けられるので、モータ５の磁気ノイズを遮断するために専用の部材が必要なくなり、低コスト化の維持でできる。
【００２２】
次に第二実施例について、図４、図５を用いて説明する。第二実施例は、第一実施例と基本構成は同じだが、以下に相違する点を述べる。第一実施例では防塵カバーの磁気シールド部７ｃ，７ｄ，７ｅによりモータ５の磁気ノイズを対策したが、本実施例では支持板１２を用いて磁気ノイズ対策を行うものである。
【００２３】
支持板１２は、シャッタ地板１と板面を平行にし、且つシャッタ地板１と所定の空間を保って配置され、それらの間に、上記した駆動部材、駆動ばね、セット部材、ラチェット車等を支持する板部材である。この支持板には、一体的に形成された磁気シールド部１２ａ，１２ｂが形成されていて、モータ５と撮像素子６の間に配置されることにより、モータ５と撮像素子６の間を磁気的に仕切ることでモータ５の磁気ノイズが撮像素子６に与える影響を防止することができる。これにより第一実施例と同様に、モータ５の磁気ノイズを遮断するための専用の部材が必要なくなり、低コスト化が維持できる。
【００２４】
尚、上記した二つの実施例においては、先羽根用シャッタ羽根と後羽根用シャッタ羽根とを備えているようにしたが、本発明は、少なくとも一つのシャッタ羽根により構成するようにしても差し支えない。
【産業上の利用可能性】
【００２５】
以上、述べたように、本発明のカメラ用フォーカルプレンシャッタは、チャージ機構を駆動するモータを撮像素子に近接して配置しても撮像素子に磁気ノイズの影響を与えないようにできるため、一眼カメラ、ミラーレスカメラ等のカメラに適用できる。
【符号の説明】
【００２６】
１                地板
１ａ              開口部
２                補助地板
３                駆動機構
４                チャージ機構
５                モータ
５ａ              コイル
５ｂ              永久磁石
５ｃ              出力軸
６                撮像素子
７                防塵カバー
７ａ，７ｂ        フック部
７ｃ，７ｄ，７ｅ  磁気シールド部
８，９            アーム
１０              先羽根用シャッタ羽根
１１              後羽根用シャッタ羽根
１２              支持板
１２ａ，１２ｂ    磁気シールド部
【図１】
2016033626.tif 000003
【図２】
2016033626.tif 000004
【図３】
2016033626.tif 000005
【図４】
2016033626.tif 000006
【図５】
2016033626.tif 000007